(57)【要約】【課題】妨害信号の有無にかかわらず、従来よりも衛星信号のＳＮＲを向上させることができる増幅器等を提供すること。【解決手段】入力信号を増幅する増幅器３４であって、増幅器３４から出力した出力信号のうち、受信目的である必要信号Ｓ１等、又は、必要信号Ｓ１等以外の信号である不要信号ＣＳを増幅器３４の入力側に帰還させることによって、不要信号ＣＳの影響を低減する帰還回路を有し、帰還回路には、ＳＡＷ（Ｓｕｒｆａｃｅ  Ａｃｏｕｓｔｉｃ  Ｗａｖｅ）フィルタ３４ｂ、誘電体フィルタ又はＹＩＧ（Ｙｔｔｒｉｕｍ  Ｉｒｏｎ  Ｇａｒｎｅｔ）フィルタのいずれかが配置されていることを特徴とする。【選択図】図４
2006352772.tif 000002
【特許請求の範囲】
【請求項１】
入力信号を増幅する増幅器であって、
前記増幅器から出力した出力信号のうち、受信目的である必要信号、又は、前記必要信号以外の信号である不要信号を前記増幅器の入力側に帰還させることによって、前記不要信号の影響を低減する帰還回路を有し、
前記帰還回路には、ＳＡＷ（Ｓｕｒｆａｃｅ  Ａｃｏｕｓｔｉｃ  Ｗａｖｅ）フィルタ、誘電体フィルタ又はＹＩＧ（Ｙｔｔｒｉｕｍ  Ｉｒｏｎ  Ｇａｒｎｅｔ）フィルタのいずれかが配置されていることを特徴とする増幅器。
【請求項２】
前記帰還回路は、前記必要信号の通過を遮断するバンドエリミネイト特性を有する負帰還回路であることを特徴とする請求項１に記載の増幅器。
【請求項３】
前記帰還回路は、前記不要信号の通過を遮断し、前記必要信号を通過させるバンドパス特性を有する正帰還回路であることを特徴とする請求項１に記載の増幅器。
【請求項４】
前記増幅器は、受信機においてアンテナに近いフロントエンドに配置されることを特徴とする請求項１乃至請求項３のいずれかに記載の増幅器。
【請求項５】
請求項１乃至請求項４のいずれかに記載の増幅器を有する無線受信機。
【請求項６】
請求項１乃至請求項４のいずれかに記載の増幅器を有する信号受信機。
【発明の詳細な説明】
【技術分野】
【０００１】
本発明は、入力信号を増幅する増幅器、無線受信機、信号受信機に関するものである。
【背景技術】
【０００２】
従来、衛星航法システムである例えば、ＧＰＳ（Ｇｌｏｂａｌ  Ｐｏｓｉｔｉｏｎｉｎｇ  Ｓｙｓｔｅｍ）を利用してＧＰＳ受信機の現在位置を測位する測位システムが実用化されている。
ＧＰＳ受信機は、例えば、４個のＧＰＳ衛星からの衛星電波に乗せられた信号（以後、衛星信号と呼ぶ）に基づいて、信号が各ＧＰＳ衛星から発信された時刻とＧＰＳ受信機に到達した時刻との差（以後、遅延時間と呼ぶ）によって、各ＧＰＳ衛星とＧＰＳ受信機との間の距離（以後、擬似距離と呼ぶ）を求める。そして、現在時刻における各ＧＰＳ衛星の位置を各ＧＰＳ衛星の軌道情報（以後、エフェメリスと呼ぶ）によって算出し、各ＧＰＳ衛星の軌道上の位置と、上述の擬似距離を使用して、現在位置の測位演算を行うようになっている（例えば、特許文献１）。
ところが、例えば、ＧＰＳ受信機と通信装置が一体となった携帯電話機においては、ＧＰＳ受信機が受信する衛星信号よりも、はるかに電力の大きい送信信号が通信装置によって送信される。そして、ＧＰＳ受信機がこの送信信号を受信することによって、衛星信号のＳＮＲ（Ｓｉｇｎａｌ  ｔｏ  ｎｏｉｓｅ  ｒａｔｉｏ）が劣化する。このため、上述の携帯電話機においては、通話中には測位演算をすることができない場合があるという問題がある。
これに対して、ＧＰＳ受信機のアンテナと、ＧＰＳ受信機本体との間にＳＡＷ（Ｓｕｒｆａｃｅ  Ａｃｏｕｓｔｉｃ  Ｗａｖｅ）フィルタを挿入することによって、送信信号（妨害信号）を減衰させることによって、衛星信号のＳＮＲの劣化を低減する技術が実用されている。
【特許文献１】特開平１０−３３９７７２号公報
【発明の開示】
【発明が解決しようとする課題】
【０００３】
しかし、アンテナとＧＰＳ受信機本体との間にＳＡＷフィルタ等のフィルタを挿入すると、衛星信号もある程度減衰する。また、フィルタ自体が発生する雑音を衛星信号に付加する。このため、ＧＰＳ受信機の雑音指数（ＮＦ）が大きくなり、妨害信号がない場合であっても、衛星信号のＳＮＲが劣化する場合があるという問題がある。
【０００４】
そこで、本発明は、妨害信号の有無にかかわらず、従来よりも衛星信号のＳＮＲを向上させることができる増幅器、無線受信機及び信号受信機を提供することを目的とする。
【課題を解決するための手段】
【０００５】
前記目的は、第１の発明によれば、入力信号を増幅する増幅器であって、前記増幅器から出力した出力信号のうち、受信目的である必要信号、又は、前記必要信号以外の信号である不要信号を前記増幅器の入力側に帰還させることによって、前記不要信号の影響を低減する帰還回路を有し、前記帰還回路には、ＳＡＷ（Ｓｕｒｆａｃｅ  Ａｃｏｕｓｔｉｃ  Ｗａｖｅ）フィルタ、誘電体フィルタ又はＹＩＧ（Ｙｔｔｒｉｕｍ  Ｉｒｏｎ  Ｇａｒｎｅｔ）フィルタのいずれかが配置されていることを特徴とする増幅器により達成される。
【０００６】
第１の発明の構成によれば、前記増幅器は前記帰還回路を有するから、前記不要信号の影響を低減することができる。
このため、例えば、前記増幅器がＧＰＳ受信機に配置されている場合において、無線受信機と前記増幅器の間に、前記不要信号を減衰させるためのフィルタを配置しなくても、前記不要信号の影響を低減することができる。これは、フィルタによって前記必要信号が減衰することがなく、また、フィルタ自体が発生する雑音が前記必要信号に付加されることもないことを意味する。したがって、例えば、前記増幅器が配置されるＧＰＳ受信機のＮＦが大きくなることはない。
しかも、第１の発明の構成によれば、前記帰還回路には、ＳＡＷフィルタ、誘電体フィルタ又はＹＩＧフィルタのいずれかが配置されている。
このＳＡＷフィルタ等は、狭帯域であり、かつ、目的とする周波数の信号と目的外の周波数の信号とを明確に区別するエッジのシャープな周波数特性を有する。このため、前記帰還回路にＳＡＷフィルタ、誘電体フィルタ又はＹＩＧフィルタのいずれかを配置することによって、前記不要信号の影響を効率的に低減することができる。
これにより、妨害信号の有無にかかわらず、従来よりも衛星信号のＳＮＲを向上させることができる。
【０００７】
第２の発明は、第１の発明の構成において、前記帰還回路は、前記必要信号の通過を遮断するバンドエリミネイト特性を有する負帰還回路であることを特徴とする増幅器である。
【０００８】
第２の発明の構成によれば、前記帰還回路は、前記バンドエリミネイト特性を有するから、前記帰還回路によって前記増幅器の入力側に帰還するのは、前記不要信号だけである。そして、前記帰還回路は、前記負帰還回路であるから、帰還する前記不要信号は、前記増幅器に入力する前記不要信号と逆位相になる。このため、帰還する前記不要信号と、記増幅器に入力する前記不要信号は、互いに相殺される。
これにより、前記不要信号の影響を低減することができる。
【０００９】
第３の発明は、第１の発明の構成において、前記帰還回路は、前記不要信号の通過を遮断し、前記必要信号を通過させるバンドパス特性を有する正帰還回路であることを特徴とする増幅器である。
【００１０】
第３の発明の構成によれば、前記帰還回路は、前記バンドパス特性を有するから、前記帰還回路によって前記増幅器の入力側に帰還するのは、前記必要信号だけである。そして、前記帰還回路は、前記正帰還回路であるから、帰還する前記必要信号は、前記増幅器に入力する前記必要信号と同位相になる。このため、帰還する前記必要信号と、前記増幅器に入力する前記必要信号が合成されて、より大きな信号強度となる。
一方、前記不要信号は前記帰還回路によって遮断され、帰還しないから、前記増幅器に入力される前記不要信号の信号強度が大きくなることはない。
これにより、前記不要信号の影響を低減することができる。
【００１１】
第４の発明は、第１の発明乃至第３の発明のいずれかの構成において、前記増幅器は、受信機においてアンテナに近いフロントエンドに配置されることを特徴とする増幅器である。
【００１２】
受信システムのトータルのＮＦは、受信システムの入力端にある部品要素のＮＦが支配的な影響を有する。このため、フロントエンド（受信機初段とも呼ぶ）には、できるだけＮＦが小さくかつゲインの高い素子が使われている。
この点、第２の発明の構成によれば、前記増幅器は、前記フロントエンドに配置されているから、ＮＦが小さくかつゲインの高い素子を有効に活用することができる。
【００１３】
前記目的は、第５の発明によれば、第１の発明乃至第４の発明のいずれかに記載の増幅器を有する無線受信機によって達成される。
【００１４】
前記目的は、第６の発明によれば、第１の発明乃至第４の発明のいずれかに記載の増幅器を有する信号受信機によって達成される。
【発明を実施するための最良の形態】
【００１５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００１６】
図１は、本発明の実施の形態の端末２０等を示す概略構成図である。
図１に示すように、端末２０は、ＧＰＳ装置３０を有し、ＧＰＳ衛星１２ａ，１２ｂ，１２ｃ及び１２ｄから信号Ｓ１，Ｓ２，Ｓ３及びＳ４を受信することができる。このＧＰＳ装置３０は、無線受信機の一例であり、信号受信機の一例でもある。そして、信号Ｓ１等は、ＧＰＳ装置３０による受信目的の信号であり、必要信号の一例である。信号Ｓ１等の周波数は、例えば、１．５７５ギガヘルツ（ＧＨｚ）である。
【００１７】
端末２０は、また、通信装置６０を有し、通信基地局７０、専用回線７５及び通信基地局８０を介して、端末９０等と通信を行うことができる。通信装置６０は、通信のための信号を通信基地局７０から受信し、通信のための通信信号ＣＳを通信基地局７０に対して送信する。この通信信号ＣＳは、ＧＰＳ装置３０にとっては、受信する必要がない信号であり、不要信号の一例である。通信信号ＣＳの周波数は、例えば、１．９ギガヘルツ（ＧＨｚ）である。
【００１８】
なお、端末２０及び９０は例えば、携帯電話機であるが、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等であってもよい。
また、ＧＰＳ衛星１２ａ等は、１個乃至３個であってもよいし、５個以上であってもよい。  
【００１９】
（端末２０の主なハードウエア構成について）
図２は端末２０の主なハードウエア構成を示す概略図である。
図２に示すように、端末２０は、コンピュータを有しており、コンピュータは、バス２２を有する。
【００２０】
このバス２２には、ＣＰＵ（Ｃｅｎｔｒａｌ  Ｐｒｏｃｅｓｓｉｎｇ  Ｕｎｉｔ）２３、記憶装置２４等が接続されている。記憶装置２４は例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等である。
【００２１】
また、このバス２２には、各種情報等を入力するための入力装置２５、ＧＰＳ装置３０、通信装置６０及び、表示装置６２が接続されている。
【００２２】
図３は、端末２０の要部の構成を示す概略図である。
図３は、端末２０の要部であるＧＰＳ装置３０及び通信装置６０を示している。  
図３に示すように、ＧＰＳ装置３０は、ＧＰＳアンテナ３２及び狭帯域ＬＮＡ（Ｌｏｗ  Ｎｏｉｓｅ  Ａｍｐｌｉｆｉｅｒ）３４等を有する。
ＧＰＳアンテナ３２はＧＰＳ衛星１２ａ等から信号Ｓ１等を受信し、狭帯域ＬＮＡ３４に出力する。この狭帯域ＬＮＡ３４は、増幅器の一例である。
【００２３】
狭帯域ＬＮＡ３４は、低雑音デバイス３４ａ及びＳＡＷフィルタ３４ｂから構成されている。
狭帯域ＬＮＡ３４は、ベースバンド部５６が信号Ｓ１等を解析するために規定された増
幅度（利得又はゲインとも呼ぶ）において信号Ｓ１等を増幅する増幅器である。
狭帯域ＬＮＡ３４はまた、通信信号ＣＳ等の他の信号を入力した場合には、信号Ｓ１等
と共に通信信号ＣＳ等も増幅する。狭帯域ＬＮＡ３４に入力する信号Ｓ１等は入力信号の
一例である。
狭帯域ＬＮＡ３４は、入力された信号Ｓ１等を増幅し、フィルタ３６に出力する。
【００２４】
フィルタ３６は、例えば、ＳＡＷフィルタであって、所定の信号を減衰させることによって、目的の信号のみを通過させるように構成されている。
ローカル発振器４０は、ミキサ３８にローカル信号を出力し、周波数を変換するダウンコンバータとして機能する。
【００２５】
ミキサ３８から出力された信号は、ＡＧＣ付ＲＦＡＭＰ４２に入力される。
ＡＧＣ付ＲＦＡＭＰ４２から出力された信号は、フィルタ４４に入力される。フィルタ４４は、例えば、ＳＡＷフィルタである。
フィルタ４４から出力された信号は、直交検波器４６に入力される。直交検波器４６は、入力した信号を同相成分と直交成分に分離し、同相成分をＡＧＣ付増幅器４８に出力し、直交成分をＡＧＣ付増幅器５０に出力する。
【００２６】
上述のＡＧＣ付ＲＦＡＭＰ４２、ＡＧＣ付増幅器４８及びＡＧＣ付増幅器５０は、ＡＧＣ制御装置５８によって指定された利得だけ入力した信号を増幅することによって、信号強度を調整する。
【００２７】
ＡＧＣ制御装置５８は、ベースバンド部５６による信号Ｓ１等の解析のために適切な信号レベルになるように、ＡＧＣ付ＲＦＡＭＰ４２等の利得を設定する。また、ＡＧＣ制御装置５８は、ベースバンド部５６による信号Ｓ１等の解析のために適切な信号レベルになるように、すべてのＡＧＣ付ＲＦＡＭＰ４２等による合計の利得を設定する。
【００２８】
ＡＧＣ付増幅器４８から出力された信号はＡＤＣ（Ａｎａｌｏｇ  Ｄｉｇｉｔａｌ  Ｃｏｎｖｅｒｔｅｒ）５２に入力され、ＡＧＣ付増幅器５０から出力された信号はＡＤＣ５４に入力される。ＡＤＣ５２及び５４は、サンプリング周波数で、入力されたアナログ信号をデジタル信号に変換する。
【００２９】
ＡＤＣ５２等から出力されたデジタル信号は、ベースバンド部５６に入力される。
ベースバンド部５６は、デジタル信号として入力された信号Ｓ１と、予め保持している信号との相関を取って、各信号Ｓ１等を送信した各ＧＰＳ衛星１２ａ等を特定する。また、ベースバンド部５６は、ＧＰＳ装置３０が受信した各信号Ｓ１等の位相も特定する。各信号Ｓ１等を送信した各ＧＰＳ衛星１２ａ等を特定すること、及び、ＧＰＳ装置３０が受信した各信号Ｓ１等の位相の特定することが、ベースバンド部５６による信号Ｓ１の解析の一例である。具体的には、例えば、信号Ｓ１等は、各ＧＰＳ衛星１２ａ等によって異なるＣ／Ａ（Ｃｌｅａｒ  ａｎｄ  Ａｃｑｕｉｓｉｏｎ  または  Ｃｏａｒｓｅ  ａｎｄ  Ａｃｃｅｓｓ）コードである。そして、ベースバンド部５６は、予め保持している各ＧＰＳ衛星１２ａ等のＣ／Ａコードと、入力されたＣ／Ａコードとの相関をとるのである。
なお、ＡＤＣ５２等から出力されたデジタル信号は、ＡＧＣ制御装置５８にも入力される。
【００３０】
通信装置６０からは、通信信号ＣＳが送信される。この通信信号ＣＳは、通信基地局７０（図１参照）に対して送信するのであるが、ＧＰＳ装置３０のＧＰＳアンテナ３２にも受信される場合がある。そして、通信信号ＣＳの信号強度は、ＧＰＳ衛星１２ａ等からの信号Ｓ１等よりも信号強度が大きいから、通信信号ＣＳがＧＰＳ装置３０に入力されると、信号Ｓ１等のＳＮＲが劣化する。
このため、ベースバンド部５６による解析が不可能になったり、解析の精度が劣化し、端末２０による測位が不可能になったり、測位精度が低下したりする。
端末２０は、狭帯域ＬＮＡ３４によって、通信信号ＣＳの影響を低減するようになっている。  
以下、狭帯域ＬＮＡ３４の構成等について、図４及び図５を使用して説明する。
【００３１】
図４は、狭帯域ＬＮＡ３４の構成等の一例を示す図である。
図５は、帰還波の一例等を示す図である。
図４に示すように、ＧＰＳアンテナ３２に入力した信号は狭帯域ＬＮＡ３４に出力され、狭帯域ＬＮＡ３４において増幅されてフィルタ３６に出力される。
狭帯域ＬＮＡ３４においては、入力側の抵抗値がＺ１、ＳＡＷフィルタ３４ｂの抵抗値がＺ２であり、そのゲインはＺ２／Ｚ１である。  
狭帯域ＬＮＡ３４においては、低雑音デバイス３４ａから出力した信号がＳＡＷフィルタ３４ｂが配置された負帰還回路３４ｃを介して、狭帯域ＬＮＡ３４の入力側の点Ｐに帰還するようになっている。上述の負帰還回路３４ｃは、帰還回路の一例である。
【００３２】
図５（ａ）に示すように、ＳＡＷフィルタ３４ｂは、ＧＰＳ衛星１２ａ等からの信号Ｓ１等を減衰させて、通信信号ＣＳを帰還波Ｂ１として通過させる。この帰還波Ｂ１を点Ｐに出力する。すなわち、負帰還回路３４ｃは、信号Ｓ１等を遮断するバンドエリミネイト特性を有する。具体的には、ＳＡＷフィルタ３４ｂは、通信信号ＣＳの周波数１．９ギガヘルツ（ＧＨｚ）を中心にバンドパスが３０メガヘルツ（ＭＨｚ）であって、この範囲外の周波数の信号Ｓ１等を、例えば、マイナス（−）３０デシベル（ｄＢ）減衰させる。
一方、図５（ｂ）に示すように、ＧＰＳアンテナ３２からは、入力波Ａを点Ｐに出力する。入力波Ａは、信号Ｓ１等と通信信号ＣＳを含む。
【００３３】
帰還波Ｂ１は負帰還であるから、帰還波Ｂ１の通信信号ＣＳと、入力波Ａの通信信号ＣＳは、逆位相である。このため、点Ｐにおいて、帰還波Ｂ１の通信信号ＣＳと入力波Ａの通信信号ＣＳは相殺される。
このため、図５（ｃ）に示すように、点Ｐからの出力波Ｃ１は、信号Ｓ１等のみとなる。
【００３４】
上述のように、狭帯域ＬＮＡ３４は負帰還回路３４ｃ（図４参照）を有するから、狭帯域ＬＮＡ３４から出力した出力信号のうち、通信信号ＣＳを狭帯域ＬＮＡ３４の入力側に帰還させることによって、通信信号ＣＳの影響を低減することができる。
このため、ＧＰＳアンテナ３２と狭帯域ＬＮＡ３４の間に、通信信号ＣＳを減衰させるためのフィルタを配置しなくても、通信信号ＣＳの影響を低減することができる。これは、フィルタによってＧＰＳ衛星１２ａ等からの信号Ｓ１等が減衰することがなく、また、フィルタ自体が発生する雑音が信号Ｓ１等に付加されることもないことを意味する。したがって、ＧＰＳ装置３０のＮＦが大きくなることはない。
これにより、妨害信号の有無にかかわらず、ＧＰＳアンテナ３２と狭帯域ＬＮＡ３４の間に、通信信号ＣＳを減衰させるためのフィルタを配置する場合よりも、信号Ｓ１等のＳＮＲを向上させることができる。
【００３５】
また、狭帯域ＬＮＡ３４は、ＧＰＳ装置３０においてＧＰＳアンテナ３２に近いフロントエンドに配置されている。受信システムのトータルのＮＦは、受信システムの入力端にある部品要素のＮＦが支配的な影響を有する。このため、受信機初段には、できるだけＮＦが小さくかつゲインの高い素子が使われている。
この点、ＧＰＳ装置３０において、狭帯域ＬＮＡ３４は、フロントエンドに配置されているから、ＮＦが小さくかつゲインの高い素子を有効に活用することができる。
【００３６】
しかも、負帰還回路３４ｃにはＬＣフィルタ等ではなくて、ＳＡＷフィルタ３４ｂが配置されている。ＳＡＷフィルタは、狭帯域であり、かつ、目的とする周波数の信号と目的外の周波数の信号とを明確に区別するエッジのシャープな周波数特性を有する。このため、負帰還回路３４ｃにＳＡＷフィルタ３４ｂを配置することによって、通信信号ＣＳの影響を効率的に低減することができる。
なお、本実施の形態とは異なり、負帰還回路３４ｃには、１ギガヘルツ（ＧＨｚ）乃至数ギガヘルツ（ＧＨｚ）帯域において、エッジがシャープな周波数特性というＳＡＷフィルタ３４ｂと同様の性質を有する他の種類のフィルタを配置してもよい。そのような性質のフィルタとしては、例えば、誘電体フィルタ、ＹＩＧ（Ｙｔｔｒｉｕｍ  Ｉｒｏｎ  Ｇａｒｎｅｔ）フィルタ等がある。
【００３７】
（第２の実施の形態）
次に、第２の実施の形態について説明する。第２の実施の形態における端末２０Ａの構成は、上記第１の実施の形態の端末２０と多くの構成が共通するため共通する部分は同一の符号等とし、説明を省略し、以下、相違点を中心に説明する。
【００３８】
図６は、狭帯域ＬＮＡ３４Ａの構成の一例を示す図である。
図７は、帰還波の一例等を示す図である。
図６に示すように、狭帯域ＬＮＡ３４Ａにおいては、低雑音デバイス３４ａから出力した信号がＳＡＷフィルタ３４ｄが配置された正帰還回路３４ｅを介して、狭帯域ＬＮＡ３４の入力側の点Ｐに帰還するようになっている。上述の正帰還回路３４ｅは、帰還回路の一例である。
【００３９】
図７（ａ）に示すように、ＳＡＷフィルタ３４ｄは、通信信号ＣＳを遮断して、ＧＰＳ衛星１２ａ等からの信号Ｓ１等を帰還波Ｂ２として通過させる。この帰還波Ｂ２を点Ｐに出力する。すなわち、正帰還回路３４ｅは、通信信号ＣＳを遮断して、信号Ｓ１等を通過させるバンドパス特性を有する。具体的には、ＳＡＷフィルタ３４ｄは、信号Ｓ１等の周波数１．５７５ギガヘルツ（ＧＨｚ）を中心にバンドパスが３０メガヘルツ（ＭＨｚ）であって、この範囲外の周波数の通信信号ＣＳ１を、例えば、マイナス（−）３０デシベル（ｄＢ）減衰させる。
一方、図７（ｂ）に示すように、ＧＰＳアンテナ３２からは、入力波Ａを点Ｐに出力する。入力波Ａは、信号Ｓ１等と通信信号ＣＳを含む。
【００４０】
帰還波Ｂ２は正帰還であるから、帰還波Ｂ２の信号Ｓ１等と、入力波Ａの信号Ｓ１等は、同位相である。このため、帰還する信号Ｓ１等の信号強度と、ＧＰＳアンテナ３２から狭帯域ＬＮＡ３４Ａに入力する信号Ｓ１等の信号強度が合成されて、より大きな信号強度となる。
一方、通信信号ＣＳは正帰還回路３４ｅによって帰還しないから、狭帯域ＬＮＡ３４Ａに入力される通信信号ＣＳの信号強度が大きくなることはない。
このため、図７（ｃ）に示すように、点Ｐからの出力波Ｃ２においては、入力波Ａよりも、信号Ｓ１等のＳＮＲが改善している。
【００４１】
上述のように、狭帯域ＬＮＡ３４Ａは正帰還回路３４ｅ（図６参照）を有するから、狭帯域ＬＮＡ３４Ａから出力した出力信号のうち、信号Ｓ１等を狭帯域ＬＮＡ３４Ａの入力側に帰還させることによって、通信信号ＣＳの影響を低減することができる。
【００４２】
本発明は、上述の各実施の形態に限定されない。さらに、上述の各実施の形態は、相互に組み合わせて構成するようにしてもよい。
また、端末２０又は２０Ａは、短距離通信装置である例えば、Ｂｌｕｅｔｏｏｔｈ（登録商標）を有し、Ｂｌｕｅｔｏｏｔｈが送信する電波の影響を低減するようにしもよい。
【図面の簡単な説明】
【００４３】
【図１】本発明の実施の形態の端末等を示す概略図である。
【図２】端末の主なハードウエア構成を示す概略図である。
【図３】端末の要部を示す概略図である。
【図４】狭帯域ＬＮＡの構成等の一例を示す図である。
【図５】帰還波等の一例を示す概略図である。
【図６】狭帯域ＬＮＡの構成等の一例を示す図である。
【図７】帰還波等の一例を示す概略図である。
【符号の説明】
【００４４】
２０，２０Ａ，９０・・・端末、３４・・・狭帯域ＬＮＡ、３４ａ・・・低雑音デバイス、３４ｂ，３４ｄ・・・ＳＡＷフィルタ、３４ｃ・・・負帰還回路、３４ｅ・・・正帰還回路
【図１】
2006352772.tif 000003
【図２】
2006352772.tif 000004
【図３】
2006352772.tif 000005
【図４】
2006352772.tif 000006
【図５】
2006352772.tif 000007
【図６】
2006352772.tif 000008
【図７】
2006352772.tif 000009